(57)【要約】  本明細書で開示される様々な実施形態は、ハウジングの表面に幅方向に延びる溝を含む前記ハウジングを備えるコネクタと、相補的な溝を含むプッシュプルタブであって、前記プッシュプルタブは取り外し可能に前記ハウジングに接続されたプッシュプルタブと、前記コネクタを受容するための１つ又は複数のポートを備えるレシーバー装置であって、前記１つ又は複数のポートは第１部分及び第２部分を含む交換可能なアンカー装置を備えるレシーバー装置とを備えるネットワークシステムであって、前記溝は、前記コネクタが前記受容要素に挿入される時に前記交換可能なアンカー装置の前記第１の部分を受容するように構成され、前記相補的な溝は、前記コネクタが前記受容要素に収容される時に前記交換可能なアンカー装置の前記第２の部分を受容するように構成され、前記プッシュプルタブは前記コネクタから離れる方向に移動される時、前記交換可能なアンカー装置の前記第２部分を前記相補的溝から離脱させるように構成され、それによって前記交換可能なアンカー装置の前記第１部分を前記コネクタの前記溝から離脱させるシステムを対象とする。他の態様は記載され権利として請求されている。【特許請求の範囲】
【請求項１】
前部本体であって、上面及び底面と、前記前部本体の前記上面に長さ方向に延びる凹部とを備える前部本体と、
前記前部本体に取り外し可能に接続されハウジングを形成する後部本体であって、前記後部本体の一部は、取り外し可能に接続されると前記前部本体内に取り外し可能に収まる後部本体と、
前部分、後部分、及び１つ又は複数の側部を備えるプッシュプルタブと
を備え、
前記プッシュプルタブは、前記１つ又は複数の側部を用いて取り外し可能に前記ハウジングに接続され、
前記前部分は、前記凹部に位置するコネクタ。
【請求項２】
前記前部本体は、前記前部本体の前記上面に幅方向に延びる溝を更に備え、
前記プッシュプルタブは、前記前部分に幅方向に延びる相補的な溝を更に備える請求項１に記載のコネクタ。
【請求項３】
前記プッシュプルタブが前記ハウジングに接続されると、前記溝と前記相補的な溝が整列する請求項２に記載のコネクタ。
【請求項４】
前記ハウジングに接続されると、前記プッシュプルタブは、前記ハウジングの長さ方向に移動可能であり、
前記プッシュプルタブが前記ハウジングの長さ方向に移動すると、前記溝と前記相補的な溝とが移動して整列がずれる請求項３に記載のコネクタ。
【請求項５】
前記後部分によって、ユーザが工具を用いずに前記プッシュプルタブを前記ハウジングの長さ方向に沿って動かすことが可能になる請求項４に記載のコネクタ。
【請求項６】
上面及び底面を有するコネクタを受容するための１つ又は複数のポートを備え、
前記１つ又は複数のポートは、前記上面に少なくとも１つの切り欠き部を含み、
前記１つ又は複数のポートは、前記底面に少なくとも１つのガイドレールを含み、
前記少なくとも１つの切り欠き部は、交換可能なアンカー装置を受容するように構成されているレシーバー装置。
【請求項７】
前記交換可能なアンカー装置は、上面と底面とを有するユニボディ構造を有し、
前記上面及び前記底面は、前記アンカー装置の少なくとも一部のための隙間によって分離されている、請求項６に記載のレシーバー装置。
【請求項８】
前記アンカー装置の前記上面及び前記底面は、前記アンカー装置の中央において実質的に接続されている、請求項７に記載のレシーバー装置。
【請求項９】
前記アンカー装置の前記上面及び前記底面は、前記アンカー装置の端において実質的に接続されている、請求項７に記載のレシーバー装置。
【請求項１０】
前記アンカー装置の前記底面は、少なくとも１つのフック先端部と、少なくとも１つのフック傾斜面とを備える、請求項７に記載のレシーバー装置。
【請求項１１】
ハウジングの表面に幅方向に延びる溝を含む前記ハウジングと、相補的な溝を含むプッシュプルタブとを備えるコネクタであって、前記プッシュプルタブは取り外し可能に前記ハウジングに接続されたコネクタと、
前記コネクタを受容するための１つ又は複数のポートを備え、前記１つ又は複数のポートは、第１部分及び第２部分を含む交換可能なアンカー装置を備えるレシーバー装置と
を備え、
前記溝は、前記コネクタが前記受容要素に挿入されるときに、前記交換可能なアンカー装置の前記第１の部分を受容するように構成され、前記相補的な溝は、前記コネクタが前記受容要素に収容されるときに、前記交換可能なアンカー装置の前記第２の部分を受容するように構成され、
前記プッシュプルタブは、前記コネクタから離れる方向に移動されるときに、前記交換可能なアンカー装置の前記第２部分を前記相補的溝から離脱させるように構成され、それによって前記交換可能なアンカー装置の前記第１部分を前記コネクタの前記溝から離脱させるネットワークシステム。
【請求項１２】
前記ハウジングは、前記ハウジングの上面に沿って長さ方向に延びる凹部を更に備える、請求項１１に記載のネットワークシステム。
【請求項１３】
前記プッシュプルタブの前部分は、前記凹部に位置している、請求項１２に記載のネットワークシステム。
【請求項１４】
前記プッシュプルタブが前記ハウジングに接続されると、前記溝及び前記相補的な溝は、整列し、
前記プッシュプルタブが前記ハウジングの長さ方向に移動すると、前記溝と前記相補的な溝とが移動して整列がずれる、請求項１１に記載のネットワークシステム。
【請求項１５】
前記溝と前記相補的な溝とが移動して整列がずれると、前記アンカー装置と前記プッシュプルタブとの間の連結は、解放される、請求項１４に記載のシステム。
【請求項１６】
ユーザが工具を用いずに前記プッシュプルタブを前記ハウジングの長さ方向に沿って動かすことが可能になる後部分を更に備える、請求項１４に記載のシステム。
【請求項１７】
前記交換可能なアンカー装置は、上面及び底面を有するユニボディ構造を備え、
前記アンカー装置の前記上面及び前記底面は、前記アンカー装置の少なくとも一部のための隙間によって分離されている、請求項１１に記載のシステム。
【請求項１８】
前記アンカー装置の前記上面及び前記底面は、前記アンカー装置の中央に実質的に接続されている、請求項１７に記載のシステム。
【請求項１９】
前記アンカー装置の前記上面及び前記底面は、前記アンカー装置の端に実質的に接続されている、請求項１７に記載のシステム。
【請求項２０】
前記アンカー装置の前記底面は、少なくとも１つのフック先端部と、少なくとも１つのフック傾斜面とを備える、請求項１７に記載のシステム。
【発明の詳細な説明】
【技術分野】
【０００１】
（関連出願の相互参照）
本出願は、「モジュールラッチアーム付き狭幅アダプタ及びコネクタ」という表題の、２０１７年２月７日に出願された米国仮出願第６２/４５７，１５０号、及び「モジュールラッチアーム付き狭幅アダプタ及びコネクタ」という表題の、２０１７年８月２３日に出願された米国仮出願第６２／５４６，９２０号の優先権を主張し、これらは各々その全体が参照により本明細書に組み込まれる。
【背景技術】
【０００２】
本開示は、概して遠隔解除を有するコネクタに関し、より具体的には、狭ピッチ間隔ルーセントコネクタ（ＬＣ）デュプレックスアダプタ及び狭幅マルチファイバコネクタなどの狭幅アダプタ及びコネクタに関する。
【０００３】
インターネットの普及により、通信ネットワークはかつてないほどの成長を遂げてきた。サービスに対する消費者需要及び競争の激化により、ネットワークプロバイダは、コストを削減しながらサービス品質を改善する方法を継続的に見いだしてきた。
【０００４】
ある解決策は、高密度配線パネルの配置を含んでいた。高密度配線パネルは、急成長中のネットワークをサポートするために必要な増加する配線量をコンパクトなフォームファクタに統合し、それによってサービス品質を高め、フロアスペース及びサポートオーバーヘッドなどのコストを削減するように設計することができる。しかしながら、高密度配線パネルの配置は完全には実現されていない。
【０００５】
データセンター及びスイッチングネットワークなどの通信ネットワークでは、嵌め合いコネクタ間の多数の配線を密集させて高密度パネルにすることができる。パネル及びコネクタ製造業者は、コネクタサイズ及び／又はパネル上の隣接するコネクタ間の間隔を小さくすることによってそのような高密度に最適化することができる。両方のアプローチがパネルコネクタ密度を増加させるために有効であるかもしれないが、コネクタサイズ及び／又は間隔を小さくすることでまたサポートコストが増加し、サービスの質が低下することがある。
【０００６】
高密度パネル構成では、隣接するコネクタ及びケーブルアセンブリが、個々の解除機構へのアクセスを妨げる可能性がある。そのような物理的な障害物は、ケーブル及びコネクタにかかる応力を最小限に抑えるオペレータの能力を妨げる可能性がある。例えば、ユーザが密集したコネクタ群に手を伸ばし、周囲の光ファイバ及びコネクタを脇へ押しやって親指及び人差し指で個々のコネクタ解除機構にアクセスする時、これらの応力がかかる可能性がある。ケーブルやコネクタに過度の負荷をかけると、隠れた欠陥が生じたり、終端部の整合性及び／又は信頼性が低下したり、深刻なネットワークパフォーマンスの中断を引き起こすことがある。
【０００７】
操作者は、ねじ回しのような工具を使用して密集したコネクタ群に手を伸ばして解除機構を作動させようと試みるが、隣接するケーブル及びコネクタが作業者の視線を遮り、隣接するケーブルを脇に押しやることなく工具を解除機構に導くことを困難にする。さらに、操作者の視線上に何もない時でも、工具を解除機構に導くことは時間のかかるプロセスであり得る。そのため、工具を使用することがサポート時間の短縮やサービス品質の向上には効果的でない場合がある。
【０００８】
小さいフォームファクタのプラグ着脱可能なトランシーバー（ＳＦＰ）は、ラックマウント式の銅線ファイバ（copper-to-fiber）メディアコンバータ内の電気通信基盤において現在使用されており、イーサネットスイッチ及び／又はパッチングハブとしても知られている。これらの基盤イーサネット及び光ファイバ接続は、そのような機器のためのスペースが限られているために、接続密度を高めるために急速に進化している。光ファイバコネクタは長年にわたって小型化されてきたが、共通寸法ですぐに使用可能なＳＦＰに差し込むために必要以上に小さくは設計されていない。しかしながら、トランシーバー技術が発展するにつれて、より高密度のスイッチ及び／又はパッチングハブ装置を作るためにより小さいＳＦＰが用いられるであろう。従って、より小さいＳＦＰにおける将来の開発のニーズを満たす光ファイバコネクタが必要である。
【発明の概要】
【０００９】
要約すると、一態様は、上面及び底面、前記前部本体の前記上面に長さ方向に延びる凹部を含む前部本体と、前記前部本体に取り外し可能に接続されハウジングを形成する後部本体であって、前記後部本体の一部は、取り外し可能に接続されると前記前部本体内に取り外し可能に収まる後部本体と、前部分、後部分、及び１つ又は複数の側部を含むプッシュプルタブとを備えるコネクタであって、前記プッシュプルタブは前記１つ又は複数の側部を用いて取り外し可能に前記ハウジングに接続され、前記前部は前記凹部に位置するコネクタを提供する。
【００１０】
他の態様は、上面及び底面を有するコネクタを受容するための１つ又は複数のポートを備えるレシーバー装置であって、前記１つ又は複数のポートは前記上面に少なくとも１つの切り欠き部を含み、前記１つ又は複数のポートは前記底面に少なくとも１つのガイドレールを含み、前記少なくとも１つの切り欠き部は交換可能なアンカー装置を受容するように構成されているレシーバー装置を提供する。
【００１１】
さらなる態様は、ハウジングの表面に幅方向に延びる溝を含む前記ハウジングを備えるコネクタと、相補的な溝を含むプッシュプルタブであって、前記プッシュプルタブは取り外し可能に前記ハウジングに接続されたプッシュプルタブと、前記コネクタを受容するための１つ又は複数のポートを備えるレシーバー装置であって、前記１つ又は複数のポートは第１部分及び第２部分を含む交換可能なアンカー装置を備えるレシーバー装置とを備えるネットワークシステムであって、前記溝は、前記コネクタが前記受容要素に挿入される時に前記交換可能なアンカー装置の前記第１の部分を受容するように構成され、前記相補的な溝は、前記コネクタが前記受容要素に収容される時に前記交換可能なアンカー装置の前記第２の部分を受容するように構成され、前記プッシュプルタブは前記コネクタから離れる方向に移動される時、前記交換可能なアンカー装置の前記第２部分を前記相補的溝から離脱させるように構成され、それによって前記交換可能なアンカー装置の前記第１部分を前記コネクタの前記溝から離脱させるネットワークシステムを提供する。
【図面の簡単な説明】
【００１２】
【図１Ａ】図１Ａは従来技術の標準６.２５ｍｍピッチＬＣコネクタＳＦＰの斜視図である。
【図１Ｂ】図１Ｂは従来技術の標準６.２５ｍｍピッチＬＣアダプタの斜視図である。
【図１Ｃ】図１Ｃは図１Ｂの従来技術のアダプタの上面図である。
【図１Ｄ】図１Ｄは図１Ｂの従来技術のアダプタの正面面であり、６.２５ｍｍピッチを表示している。
【図２Ａ】図２Ａは従来技術のＬＣデュプレックスコネクタの斜視図である。
【図２Ｂ】図２Ｂは従来技術の遠隔解除プルタブ付きＬＣデュプレックスコネクタの斜視図である。
【図２Ｃ】図２Ｃは、２Ａ及び２Ｂに示す実施形態で使用される従来技術のＬＣコネクタの上面図である。
【図２Ｄ】図２Ｄは図２Ｃの従来技術のＬＣコネクタの側面図である。
【図３】図３は本開示の態様に係る本明細書に開示されたコネクタを受容するための将来の狭ピッチＬＣ ＳＦＰの斜視図である。
【図４Ａ】図４Ａは本開示の態様に係る狭ピッチＬＣアダプタの一実施形態の斜視図である。
【図４Ｂ】図４Ｂは、図４Ａの狭ピッチＬＣアダプタの上面図である。
【図４Ｃ】図４Ｃは図４Ａの狭ピッチＬＣアダプタの正面図であり、４．８ｍｍピッチを表示している。
【図５】図５は本開示の態様に係る遠隔解除付き狭ピッチＬＣデュプレックスコネクタの一実施形態の斜視図である。
【図６Ａ】図６Ａは本開示の態様に係る図５の実施形態で使用されるＬＣコネクタの上面図である。
【図６Ｂ】図６Ｂは本開示の態様に係る図６ＡのＬＣコネクタの側面図である。
【図７】図７は解除機構が取り外されている本開示の態様に係る図５の狭ピッチＬＣデュプレックスコネクタの斜視図である。
【図８】図８は本開示の態様に係る図５の狭ピッチＬＣデュプレックスコネクタの斜視図である。
【図９】図９は従来技術の標準マルチファイバプッシュオン／プルオフ（ＭＰＯ）ＳＦＰの斜視図である。
【図１０Ａ】図１０Ａは従来技術の標準ＭＰＯコネクタの斜視図である。
【図１０Ｂ】図１０Ｂは図１０Ａの従来技術のＭＰＯコネクタの上面図であり、１２.４ｍｍの幅を有している。
【図１０Ｃ】図１０Ｃは図１０Ａの従来技術のＭＰＯコネクタの正面図である。
【図１１】図１１は本開示の態様に係る本明細書に開示されたコネクタを受容するための将来の狭ピッチマルチファイバＳＦＰの斜視図である。
【図１２Ａ】図１２Ａは本開示の態様に係る遠隔解除付き狭幅マルチファイバコネクタの一実施形態の斜視図である。
【図１２Ｂ】図１２Ｂは本開示の態様に係る図１２Ａの狭幅マルチファイバコネクタの上面図であり、９.６ｍｍの幅を有している。
【図１２Ｃ】図１２Ｃは本開示の態様に係る図１２Ａの狭幅マルチファイバコネクタの正面図である。
【図１３Ａ】図１３Ａは、本開示の態様に係るＳＦＰラッチを有する狭幅ＳＦＰに挿入された狭幅マルチファイバコネクタの斜視図である。
【図１３Ｂ】図１３Ｂは本開示の態様に係る狭幅アダプタラッチを有する狭幅アダプタに挿入された狭幅マルチファイバコネクタの斜視図である。
【図１４】図１４は本開示の態様に係る通常のプルタブ位置でＳＦＰラッチと係合する凹部を有する図１３Ａの狭幅マルチファイバコネクタの側面図である。
【図１５】図１５は本開示の態様に係るプルタブを後退させることによってＳＦＰラッチから離脱している図１３Ａの狭幅マルチファイバコネクタの側面図である。
【図１６Ａ】図１６Ａは本開示の態様に係るアダプタラッチを有する狭幅マルチファイバコネクタの斜視図である。
【図１６Ｂ】図１６Ｂは本開示の態様に係るアダプタラッチを有する狭幅マルチファイバコネクタの分解斜視図である。
【図１７Ａ】図１７Ａは図１６Ａの狭ピッチアダプタの正面図であり、３．８０ｍｍピッチを表示している。
【図１７Ｂ】図１７Ｂは図１６Ａの狭幅コネクタの側面図である。
【図１７Ｃ】図１７Ｃは本開示の態様に係るＳＦＰ内に収まっているプラグフームの側面図である。
【図１７Ｄ】図１７Ｄは本開示の態様に係るプッシュ／プルタブがＳＦＰラッチ凹部内のノーマル位置にある図１６Ａの狭幅コネクタの斜視図である。
【図１７Ｅ】図１７Ｅは本開示の態様に係るプッシュ／プルタブがＳＦＰラッチ凹部に対してプルバック位置にある図１６Ａの狭幅コネクタの斜視図である。
【図１８Ａ】図１８Ａは本開示の態様に係る小さいフォームファクタのトランシーバーの斜視図である。
【図１８Ｂ】図１８Ｂは本開示の態様に係る図１８Ａのトランシーバーの側面図である。
【図１８Ｃ】図１８Ｃは本開示の態様に係る図１８Ａのトランシーバーの側面図である。
【図１９】図１９は１つのコネクタがトランシーバーに挿入されたＳＦＰの斜視図である。
【図２０Ａ】図２０Ａは本開示の態様に係るコネクタを保持しているＳＦＰの側面図である。
【図２０Ｂ】図２０Ｂは本開示の態様に係るコネクタを保持しているＳＦＰの側面図である。
【図２１】図２１は本開示の態様に係る、プッシュ／プルタブが後退した状態でトランシーバーに挿入された１つのコネクタを有するＳＦＰの斜視図である。
【図２２Ａ】図２２Ａは本開示の態様に係る、コネクタをラッチ解除するために上昇位置にあるＳＦＰラッチの側面図である。
【図２２Ｂ】図２２Ｂは本開示の態様に係る、コネクタをラッチ解除するために上昇位置にあるＳＦＰラッチの側面図である。
【図２３Ａ】図２３Ａは本開示の態様に係るコネクタの分解図である。
【図２３Ｂ】図２３Ｂは本開示の態様に係るコネクタの斜視図である。
【図２４Ａ】図２４Ａは本開示の態様に係るコネクタの上面寸法図である。
【図２４Ｂ】図２４Ｂは本開示の態様に係るコネクタの側面寸法図である。
【図２５Ａ】図２５Ａは本開示の態様に係るプッシュプルタブが前方位置にあるコネクタの斜視図である。
【図２５Ｂ】図２５Ｂは本開示の態様に係るプッシュプルタブが後方位置にあるコネクタの斜視図である。
【図２６Ａ】図２６Ａは本開示の態様に係るプッシュプルタブ付きコネクタの斜視図である。
【図２６Ｂ】図２６Ｂは本開示の態様に係るプッシュプルタブ付きコネクタの拡大斜視図である。
【図２６Ｃ】図２６Ｃは本開示の態様に係るプッシュプルタブ付きコネクタの別の斜視図である。
【図２７Ａ】図２７Ａは本開示の態様に係るプッシュプルタブ付きコネクタの斜視図である。
【図２７Ｂ】図２７Ｂは本開示の態様に係るプッシュプルタブ付きコネクタの拡大斜視図である。
【図２７Ｃ】図２７Ｃは本開示の態様に係るプッシュプルタブ付きコネクタの別の斜視図である。
【図２８Ａ】図２８Ａは、特定された２つの別々の断面を有するいくつかの実施形態に係るＣＳコネクタの例を示す。
【図２８Ｂ】図２８Ｂは、図２８Ａで特定されたＣＳコネクタの第１の特定された断面領域におけるＣＳコネクタの詳細な断面図である。
【図２８Ｃ】図２８Ｃは、図２８Ａで特定されたＣＳコネクタの第２の特定された断面領域におけるＣＳコネクタの詳細な断面図である。
【図２９】図２９は本開示の態様に係る、異なる長さのプッシュプルタブ付きコネクタの斜視図である。
【図３０Ａ】図３０Ａは本開示の態様に係るデュプレックスアダプタ／トランシーバーの詳細寸法前面図である。
【図３０Ｂ】図３０Ｂは本開示の態様に係るデュプレックスアダプタ／トランシーバーの詳細寸法断図である。
【図３０Ｃ】図３０Ｃは本開示の態様に係るデュプレックスアダプタ／トランシーバーの別の詳細寸法断面図である。
【図３１Ａ】図３１Ａは取り外し可能なアンカーが取り付けられたデュプレックスアダプタ／トランシーバーの斜視図である。
【図３１Ｂ】図３１Ｂは取り外し可能なアンカー装置の斜視図である。
【図３１Ｃ】図３１Ｃは取り外し可能なアンカー装置の別の斜視図である。
【図３２Ａ】図３２Ａは取り外し可能なアンカーが取り付けられたデュプレックスアダプタ／トランシーバーの別の斜視図である。
【図３２Ｂ】図３２Ｂは取り外し可能なアンカー装置の別の斜視図である。
【図３２Ｃ】図３２Ｃは取り外し可能なアンカー装置の別の斜視図である。
【図３３Ａ】図３３Ａは取り外し可能なアンカーが取り付けられたデュプレックスアダプタ／トランシーバーの別の斜視図である。
【図３３Ｂ】図３３Ｂは取り外し可能なアンカー装置の別の斜視図である。
【図３３Ｃ】図３３Ｃは取り外し可能なアンカー装置の別の斜視図である。
【図３４】図３４は本開示の態様に係る、取り外し可能なアンカーが取り付けられたデュプレックスアダプタ／トランシーバーの詳細寸法断面図である。
【図３５Ａ】図３５Ａは本開示の態様に係る、取り外し可能なアンカーが取り付けられたデュプレックスアダプタ／トランシーバーの別の詳細寸法断面図である。
【図３５Ｂ】図３５Ｂは本開示の態様に係る、取り外し可能なアンカーが取り付けられたデュプレックスアダプタ／トランシーバーの詳細寸法断面図である。
【図３６Ａ】図３６Ａはアダプタ／トランシーバーに挿入されているところのＣＳコネクタの斜視図である。
【図３６Ｂ】図３６Ｂはアダプタ／トランシーバーに挿入された後のＣＳコネクタの斜視図である。
【図３７】図３７はアダプタ／トランシーバーに挿入されているところのＣＳコネクタの側面切断図である。
【図３８】図３８は水平溝の詳細図付きのＣＳコネクタの斜視図である。
【図３９Ａ】図３９Ａはアダプタ／トランシーバーに挿入されたＣＳコネクタの側面切断図である。
【図３９Ｂ】図３９Ｂはアダプタ／トランシーバーに挿入されたＣＳコネクタの別の側面切断図である。
【図４０】図４０はアダプタ／トランシーバーに挿入されたＣＳコネクタの説明に役立つ上面図及びアダプタ／トランシーバーに挿入されたＣＳコネクタの側面切断図を示す。
【図４１】図４１はアダプタ／トランシーバーに挿入されたＣＳコネクタの説明に役立つ上面図及びアダプタ／トランシーバーに挿入されたＣＳコネクタの側面切断図を示す。
【図４２】図４２は、ＣＳコネクタの寸法詳細図を示す。
【図４３】図４３は、ＣＳコネクタの別の寸法詳細図を示す。
【図４４Ａ】図４４Ａは、接続をより遅いバージョンのシステムに分配するためのファンアウト及びカセット方式を示す。
【図４４Ｂ】図４４Ｂは、ファンアウト及び／又はカセット方式を必要とせずに接続をより遅いバージョンのシステムに分配するための代替手段を示す。
【発明を実施するための形態】
【００１３】
本開示は、記載されている特定のシステム、デバイス、及び方法が変わる可能性があるため、これらに限定されない。明細書中で使用される用語は、特定のバージョン又は実施形態を説明することのみを目的としており、範囲を制限することを意図していない。
【００１４】
本明細書で使用されるとき、単数形「ａ」、「ａｎ」、及び「ｔｈｅ」は、文脈が明らかにそうでないことを指示しない限り、複数の言及を含む。他に定義されない限り、本明細書で使用されるすべての技術的及び科学的用語は、当業者によって一般的に理解されるのと同じ意味を有する。本開示におけるいかなる記載も、本開示に記載された実施形態が先行発明によってそのような開示に先行する権利を与えられていないことの承認として解釈すべきではない。本明細書で使用されるとき、用語「含む（ｃｏｍｐｒｉｓｉｎｇ）」は、「含むが、これらに限定されない」を意味する。
【００１５】
以下の用語は、本出願の目的のために、以下に記載されるそれぞれの意味を有するものとする。
【００１６】
本明細書で使用するとき、コネクタとは、第１のモジュール又はケーブルを第２のモジュール又はケーブルに接続する装置及び／又はその構成要素を指す。コネクタは、光ファイバ伝送又は電気信号伝送用に構成されてもよい。コネクタは、例えばフェルールコネクタ（ＦＣ）、光ファイバ分散データインターフェース（ＦＤＤＩ）コネクタ、ＬＣコネクタ、メカニカル・トランスファー（ＭＴ）コネクタ、正方形（ＳＣ）コネクタ、ＳＣデュプレックスコネクタ、又はストレートチップ（ＳＴ）コネクタのような、現在知られているか又は今後開発される任意の適当なタイプであってよい。コネクタは、一般に、コネクタハウジング本体によって規定され得る。いくつかの実施形態では、ハウジング本体は、本明細書に記載の任意の又はすべての構成要素をこの中に組み込んでもよい。
【００１７】
「光ファイバケーブル」又は「光ケーブル」は、光線の光信号を伝導するための１つ又は複数の光ファイバを含むケーブルを指す。光ファイバは、ガラス、ガラス繊維、及びプラスチックを含む任意の適当な透明材料から構成することができる。ケーブルは、光ファイバを囲むジャケット又は被覆材料を含み得る。さらに、ケーブルはケーブルの一端又は両端のコネクタに接続できる。
【００１８】
本明細書に記載の様々な実施形態は、概して、周囲のコネクタを損傷したり、誤って周囲のコネクタを外したり、周囲のコネクタを介した伝送を中断することなどなく、ユーザが高密度パネル上で密集したケーブルアセンブリコネクタを取り外すことができるように遠隔解除機構を提供する。様々な実施形態はまた、例えば将来の狭ピッチＬＣ ＳＦＰ及び将来の狭幅ＳＦＰと共に使用するための、狭ピッチＬＣデュプレックスコネクタ及び狭幅マルチファイバコネクタを提供する。遠隔解除機構によって、狭ピッチＬＣ ＳＦＰ及び狭幅マルチファイバＳＦＰの高密度アレイで狭ピッチＬＣデュプレックスコネクタ及び狭幅マルチファイバコネクタの使用が可能になる。
【００１９】
図１Ａは、従来技術の標準６．２５ｍｍピッチＬＣコネクタＳＦＰ１００の斜視図を示す。ＳＦＰ１００は、デュプレックスコネクタを受容するように構成され、各々がそれぞれのＬＣコネクタを受容するための２つのレセプタクル１０２を提供する。ピッチ１０４は、２つのレセプタクル１０２のそれぞれの長手方向中心軸間の軸から軸までの距離として定義される。図１Ｂは、従来技術の標準６．２５ｍｍピッチＬＣアダプタ１０６の斜視図を示す。アダプタ１０６はまた、デュプレックスコネクタを受容するように構成されており、それぞれＬＣコネクタを受容するための２つのレセプタクル１０８を提供する。図１Ｃは、図１Ｂのアダプタ１０６の上面図である。アダプタ１０６のピッチは、アダプタ１０６の正面図を示す図１Ｄに示すように、２つのレセプタクル１０８のそれぞれの長手方向中心軸間の軸から軸までの距離として、ＳＦＰ１００のピッチと同様に定義される。
【００２０】
図２Ａは、従来のＳＦＰ１００及び従来のアダプタ１０６と共に使用することができる従来技術のＬＣデュプレックスコネクタ２００を示す。ＬＣデュプレックスコネクタ２００は、２つの従来のＬＣコネクタ２０２を含む。図２Ｂは、遠隔解除プルタブ２０６を有し、２つの従来のＬＣコネクタ２０８を含む別の従来技術のＬＣデュプレックスコネクタ２０４を示す。図示のように、遠隔解除プルタブは２つのプロング２１０を含み、各プロング２１０はそれぞれのＬＣコネクタ２０８の延長部材２１２に結合するように構成される。図２Ｃ及び図２Ｄは、それぞれ５．６ｍｍの幅を有する従来のＬＣコネクタ２０８の上面図及び側面図を示し、さらに延長部材２１２を示す。
【００２１】
本明細書に開示される様々な実施形態は、図３に示される狭ピッチＬＣ ＳＦＰ３００などの、従来の６．２５ｍｍピッチ及び５．２５ｍｍピッチよりも小さいピッチを有する将来のＳＦＰと共に使用するために構成される。様々な実施形態は、デュプレックス配置（送信及び受信ファイバを有する）でＬＣタイプの光ファイバコネクタを利用するが、以下にさらに記載するように、従来の６．２５ｍｍ及び５．２５ｍｍピッチより小さいコネクタの軸から軸までの距離を有する。
【００２２】
別の態様によれば、狭ピッチデュプレックスＬＣアダプタの実施形態が開示されている。図４Ａから４Ｃは、狭ピッチアダプタ４００の一実施形態を示している。狭ピッチアダプタ４００は、その対向する両端に、本明細書に開示された態様に係る２つの狭ピッチＬＣデュプレックスコネクタを接続するように構成されたレセプタクル４０２を有する。図４Ｂは、アダプタ４００の上面図を示す。図４Ｃは正面図を示し、アダプタ４００が４．８ｍｍのピッチを有することをさらに示している。アダプタ４００は、ＬＣデュプレックスコネクタのＬＣコネクタ間の軸から軸までの距離に対応するアダプタのピッチで、デュプレックスＬＣコネクタを受容するように構成されている。アダプタ４００は４．８ｍｍのピッチを有するが、本明細書に開示される狭ピッチアダプタの様々な実施形態は、従来のアダプタのピッチよりも小さい、例えば６．２５ｍｍ未満及び約５．２５ｍｍ未満の異なるピッチを有してもよい。いくつかの実施形態では、ピッチは約４．８ｍｍ以下であってよい。
【００２３】
狭幅コネクタの必要性に加えて、高密度の狭幅ＳＦＰアレイで使用される狭幅コネクタを遠隔ラッチ解除する必要がある。これは、隣接する光ファイバのサービスを中断することなく、コネクタへの指によるアクセスがほぼ不可能であるからである。例えば図２Ｂに示すように、遠隔ラッチ解除する光ファイバコネクタの現在のデザインがあるが、図２Ｂに示すように、これらは全てのＳＦＰに典型的なダイカスト構造に差し込まれたときに所望通りに機能することが困難であることが証明されている。ダイカストＳＦＰは、光ファイバコネクタのプラスチックラッチの通常の屈曲動作を妨げ得る鋭いエッジや内部のバリ（ｆｌａｓｈｉｎｇ）（バリ（ｂｕｒｒ））がないものではない。特に指が隣接する光ファイバを邪魔しないようにコネクタの後ろに一定の距離突出するプルタブによって遠隔始動されるラッチの場合、金属エッジとバリとの間の干渉によって、光ファイバコネクタのプラスチックラッチが完全に係合状態になるあるいは簡単に離脱することが防がれることがある。
【００２４】
ＳＦＰからのコネクタのラッチ／ラッチ解除をより信頼できるものにするために、本明細書に開示されている様々な実施形態は、例えば以下の図５、７、８及び１２に示され説明されているように、遠隔ラッチ構成要素（プルタブ）にバネ力を加え、コネクタラッチが確実に未変位位置に戻ることを可能にし、それによってＳＦＰの凹部内で完全に係合状態になる。
【００２５】
図５は、本明細書に開示された態様に係る狭ピッチコネクタ５００の一実施形態を示す。狭ピッチコネクタ５００は、２つのＬＣコネクタ５０２を含むデュプレックスＬＣコネクタである。ＬＣコネクタ５０２はそれぞれ、各フェルール５０３と、各延長部材又はラッチアーム５０４とを含む。コネクタ５００は４.８ｍｍのピッチを有し、このピッチは双方のＬＣコネクタ５０２の中心軸間の軸から軸までの距離として定義される。他の実施形態では、コネクタピッチは、従来のコネクタのピッチのピッチよりも小さく、例えば約６．２５ｍｍ未満及び約５．２５ｍｍ未満であってよい。いくつかの実施形態では、ピッチは約４．８ｍｍ以下であってよい。
【００２６】
コネクタ５００は、底部ハウジング５０８及び上部ハウジング５１０を有するハウジング５０６をさらに含む。底部ハウジング５０８は、側壁５１２を含む。様々な実施形態において、コネクタ５００のハウジング５０６は、切り替え可能なハウジングであってよい。例えばコネクタ５００の極性を変化させるために、ハウジング５００を開けるのを容易にするために側壁５１２は開くように構成されてもよい。側壁５１２は、図５に示されるように、コネクタ５００の後部に向かって隆起していてもよい。側壁５１２をコネクタ５００の後部に向かって隆起させる１つの利点は、よりアクセスしやすいことである。他の実施形態では、側壁５１２は他の場所で隆起していてもよい。
【００２７】
コネクタ５００は、遠位端５１６及び近位端５１８を有するプルタブ５１４をさらに含む。プルタブ５１４は、力を与えるように構成されたバネ５２０をさらに含み、その結果コネクタラッチアーム５０４が未変位位置に戻り、それによってＳＦＰの凹部内で完全に係合状態になる。プルタブ５１４の遠位端５１６を引っ張って、コネクタ５００をＳＦＰ又はアダプタから遠隔解除することができる。プルタブ５１４の近位端５１８は、狭ピッチＬＣコネクタ５００のラッチアーム５０４の独特の形状と係合するように独特の形状に形づくられている。近位端５１８は、デュプレックスＬＣコネクタ５００の両方のラッチアーム５０４に係合する。すなわち近位端５１８は、両方のコネクタ５０２のラッチアームに係合するように構成された単一のプロングを含む。プルタブ５１４の近位端５１８には、デュプレックスＬＣコネクタ５０２のラッチアーム５０４の半円形表面の真上で静止し、その半円形表面に沿ってスライドするように構成された外向きピン５２２がある。ピン５２２の水平及び後部経路方向によって、コネクタラッチアーム５０４の半円形状が下方に曲がる。ピン５２２がコネクタラッチアーム５０４の傾斜溝内部に入っていないので、遠位端５１６などのコネクタ後部の遠距離からプルタブ５１４を引っ張って後方へ移動させるのではなく、このタブ５１４をＬＣコネクタ５０２の真後ろの位置で押し下げることもできる。コネクタの一体型レバー又はラッチアーム５０４を押し下げる動作によって、コネクタ５００をラッチ解除する。一部の例では、プルタブ５１４の水平動作は望ましくない場合もある。従って、コネクタラッチアーム５０４は、プルタブ５１４の水平動作にならずに押し下げることができる。
【００２８】
図６Ａ及び図６Ｂは、狭ピッチコネクタ５００のＬＣコネクタ５０２の上面図及び側面図をそれぞれ示す。図６Ａはさらに、ＬＣコネクタ５０２が４．６ｍｍの幅を有することを示す。図６Ｂは、ラッチアーム５０４の半円形状を示す。
【００２９】
図７は、図５の狭ピッチコネクタ５００の部分分解図を示す。上部ハウジング５１０は底部ハウジング５０８から分離されている。プルタブ５１４は、上部ハウジング５１０に結合しており、コネクタの長さに沿って長手方向にスライドするように構成されている。上部ハウジング５１０はまた、プルタブ５１４を受容するように構成された拘束部５２４を含む。
【００３０】
図８は、狭ピッチコネクタ５００のさらなる分解図を示す。具体的には、プルタブ５１４は、上部ハウジング５１０から切り離して示されており、スプリング５２０はプルタブから取り外されている。プルタブ５１４は、バネ５２０を受容するように構成された長手方向凹部５２６と、ばねを保持するように構成された少なくとも１つの拘束部５２８とを含む。上部ハウジング５１０はまた、バネ５２０及び近位端５１８などのプルタブ５１４の少なくとも一部を収容するように構成された凹部５３０を含む。様々な実施形態では、プルタブは上部ハウジングを介してコネクタに取り外し可能に結合することができる。
【００３１】
図９は、従来技術の標準ＭＰＯ ＳＦＰ ９００の斜視図を示す。ＳＦＰ ９００は、標準ＭＰＯコネクタを受容するように構成され、例えば図１０Ａ〜１０Ｃに示すように、従来の幅を有するＭＰＯコネクタを受容するためのレセプタクル９０２を提供する。
【００３２】
図１０Ａは、従来のＭＰＯコネクタ１０００の斜視図を示す。図１０Ｂに示すように、従来のＭＰＯコネクタ１０００は１２．４ｍｍの幅を有する。図１０Ｃは、ＭＰＯコネクタ１０００の正面図を示す。
【００３３】
図１１は、本開示の態様に係る将来の狭幅マルチファイバＳＦＰ１１００の一実施形態を示す。本明細書に開示される様々な実施形態は、従来のＭＰＯコネクタの幅よりも狭い、すなわち約１２．４ｍｍ未満の幅を有する、狭幅マルチファイバＳＦＰ１１００と共に使用するように構成されている。狭幅マルチファイバＳＦＰは、ＭＴフェルールを有する狭幅コネクタなどの狭幅マルチファイバコネクタを受容するように構成されたレセプタクル１１０２を有する。
【００３４】
図１２Ａは、本明細書に開示された態様に係る狭幅コネクタ１２００の一実施形態を示す。狭幅コネクタ１２００は、マルチファイバＭＴ ／ ＭＰＯフェルール１２０２を含むマルチファイバコネクタである。コネクタ１２００は、２つの延長部材又はラッチアーム１２０４を含む。他の実施形態では、コネクタは少なくとも１つのラッチアームを含み得る。コネクタ１２００は、図１２Ｂのコネクタ１２００の上面図に示されるように、９．６ｍｍの幅を有する。他の実施形態では、コネクタ幅は、従来のマルチファイバコネクタのコネクタ幅よりも小さく、例えば、図１０Ｂに示されている従来のＭＰＯコネクタの１２．４ｍｍ未満であってよい。いくつかの実施形態では、コネクタ幅は約９．６ｍｍ以下であってよい。
【００３５】
コネクタ１２００は、底部ハウジング１２０８及び上部ハウジング１２１０を有するハウジング１２０６をさらに含む。底部ハウジング１２０８は側壁１２１２を含む。様々な実施形態において、コネクタ１２００のハウジング１２０６は、切り替え可能なハウジングであってよい。例えばコネクタ１２００の極性を変化させるために、ハウジング１２０６を開けるのを容易にするために側壁５１２は開くように構成されてもよい。側壁１２１２はコネクタ１２００の後部に向かって隆起していてもよい。側壁１２１２をコネクタ１２００の後部に向かって隆起させる１つの利点は、よりアクセスしやすいことである。他の実施形態では、側壁５１２は他の場所で隆起していてもよい。
【００３６】
コネクタ１２００は遠位端１２１６及び近位端１２１８を有するプルタブ１２１４をさらに含む。プルタブ１２１４は力を与えるように構成されたバネ１２２０をさらに含み、その結果プルタブ１２１４は、コネクタラッチングアーム１２０４が未変位位置に戻り、それによって、ＳＦＰの凹部内で完全に係合状態になる。プルタブ１２１４の遠位端１２１６を引っ張って、コネクタ１２００をＳＦＰ又はアダプタから遠隔解除することができる。プルタブ１２１４の近位端１２１８は、狭幅マルチファイバコネクタ１２００のラッチアーム１２０４の独特の形状と係合するように独特の形状をしている。近位端１２１８は、マルチファイバコネクタ１２００の両方のラッチアーム１２０４に係合する。すなわち近位端１２１８は、両ラッチアーム１２０４に係合するように構成された単一のプロングを含む。プルタブ１２１４の近位端１２１８には、ラッチアーム１２０４の半円形表面の真上で静止し、その半円形表面に沿ってスライドするように構成された外向きピン１２２２がある。ピン１２２２の水平及び後方経路方向によって、コネクタラッチアーム１２０４の半円形状が下方に曲がる。ピン１２２２がコネクタラッチアーム１２０４の傾斜溝内部に入っていないので、遠位端１２１６などのタブの後部の遠距離からプルタブ１２１４を引っ張って後方へ移動させるのではなく、このタブを上記コネクタの真後ろの位置で押し下げることもできる。コネクタの一体型レバー又はラッチアーム１２０４を押し下げる動作によってコネクタ１２００をラッチ解除する。一部の例では、プルタブ１２１４の水平動作は望ましくない場合がある。従って、コネクタラッチアーム１２０４はプルタブ１２１４の水平動作にならずに押し下げることができる。
【００３７】
図１２Ｂ及び１２Ｃはそれぞれ、狭幅マルチファイバコネクタ１２００の上面図及び正面図を示す。図１２Ｂは、コネクタ１２００が９．６ｍｍの幅を有することをさらに示す。
【００３８】
上述の様々な実施形態では、狭幅コネクタは、狭幅ＳＦＰ又は狭幅アダプタ内の固定された又は不動の凹部と係合するように構成されたラッチアームを有する。これらの実施形態では、そのラッチアームをＳＦＰの又はアダプタ凹部から離脱させるように、コネクタのプルタブはコネクタの可撓性ラッチアームを動かす。例えば、ラッチタブは、コネクタをＳＦＰ又はアダプタから離脱させるように、プルタブが引っ張られるにつれて下方に曲がる。
【００３９】
他の実施形態では、例えば、以下の図１３Ａ、図１３Ｂ、図１４、及び図１５に関してさらに説明されるように、遠隔ラッチ解除プルタブは、アダプタ又はＳＦＰ内のラッチ又はフックと結合するように構成することができる。これらの実施形態では、コネクタの可撓性ラッチアームはＳＦＰ又はアダプタの主キャビティ内に移動され、バネによって前方に押されたプルタブがノーマル位置にある時にＳＦＰ又はアダプタのラッチはコネクタの凹部に係合する。プルタブが引っ張られる時に、ＳＦＰ又はアダプタのラッチが後退したプルタブによって持ち上げられ、それによってＳＦＰ又はアダプタのラッチをコネクタから離脱させるような傾斜面領域を有するように、プルタブは構成されてもよい。
【００４０】
図１３Ａは、コネクタの凹部がＳＦＰラッチに係合するように狭ピッチＳＦＰ１３０２に挿入された狭ピッチマルチファイバコネクタ１３００を示す。図１３Ｂは、狭ピッチコネクタ１３００の凹部がアダプタのラッチに係合するように狭ピッチアダプタ１３０４に挿入された狭ピッチコネクタ１３００を示す。
【００４１】
図１４は、狭幅ＳＦＰ１３０２に結合される図１３Ａの狭幅コネクタ１３００の側面図を示す。結合の詳細を輪１４００内に示している。具体的には、ＳＦＰ１３０２はＳＦＰラッチ１４０２を含む。コネクタ１３００は凹部１４０４を含む。例えば、コネクタハウジングが凹部１４０４を含んでもよい。プルタブ１４０６は、様々な実施形態に関して説明したようにバネ式でもよい。これにより、プルタブ１４０６は、ＳＦＰラッチ１４０２をコネクタ凹部１４０４と係合することを可能にする位置に戻ることができる。プルタブ１４０６が図１４に示すようにバネによって前方に押され、通常のプルタブ位置にある時、ＳＦＰラッチ１４０２はコネクタ凹部１４０４と係合する。
【００４２】
図１５は、図１３Ａの狭幅コネクタ１３００が狭幅ＳＦＰ１３０２から離脱する時の側面図を示す。離脱の詳細は輪１５００内に示している。プルタブ１４０６はテーパ又は傾斜面領域１５０２を含む。プルタブ１４０６が図示のように矢印１５０４の方向に後方に引っ張られるにつれて図１５０４に示すように、ＳＦＰラッチ１４０２は後退したプルタブの傾斜面領域１５０２によって持ち上げられ、それによって輪１５００内に示すようにＳＦＰラッチ１４０２をコネクタから離脱させる。図１５と併せて本明細書に記載された同じ効果は、例えば、図１３Ａに示すように、狭幅アダプタに結合されたコネクタの他の実施形態においても生じる。
【００４３】
図１４及び図１５は、コネクタと狭幅ＳＦＰとの結合を示しているが、他の実施形態では、コネクタは、ＳＦＰラッチと同様に、アダプタラッチを有する狭幅アダプタに結合することができる。また、図１３Ａ、１３Ｂ、１４、及び１５に示す実施形態は、狭幅マルチファイバコネクタを含むが、他の実施形態は狭ピッチＬＣコネクタを含んでもよい。
【００４４】
図１６Ａ〜２２は、本発明の様々な態様に係る狭ピッチマルチファイバコネクタ、ＳＦＰ、及びそれに関連するラッチ機構を示す様々な図及び詳細である。
【００４５】
本明細書で述べたように、様々な実装方法を有する様々な種類のコネクタが存在する。ここで、図２３Ａを参照すると、ＣＳコネクタの実施形態は詳細に分解されて示している。この視覚的な例は説明のためであり、様々な代替例が存在し得ることに留意されたい。それらのいくつかを本明細書で述べる。いくつかの実施形態では、ＣＳコネクタは、直径が約１．２５ｍｍの二重円筒形の（複数の）バネ付き突合せフェルールと、プッシュプルカップリング機構とを一般的に特徴とする小型の１ポジションプラグであってもよい。いくつかの実施形態では、コネクタの光学アライメント機構は、硬い穴又は弾力のあるスリーブスタイルのものである。
【００４６】
いくつかの実施形態では、ＣＳコネクタは、（複数の）フェルール及び（複数の）フェルールフランジ２３０２を収容する前部本体（すなわちプラグフレーム）２３０１を備えることができる。後部本体（すなわちバックポスト）２３０４は、前部本体２３０１の後部に接続し、（複数の）フェルールフランジ２３０２を含むことができる。（複数の）フェルールフランジ２３０２は、１つ又は複数のバネ２３０３を用いて所定の位置に保持されてもよい。図示のように、後部本体２３０４は、後部本体の後部に取り付けられたクリンプリング２３０５を備えてもよい。いくつかの実施形態では、ケーブルブーツ２３０６がクリンプリング２３０５を囲むことができる。いくつかの実施形態では、図示のように、前部本体に収納したフェルールを損傷及び／又は破片から保護するためにダストキャップ２３０７を前部本体２３０１上に配置することができる。
【００４７】
追加の実施形態では、プッシュプルタブ２３１０は、本明細書でより詳細に述べるように、ＣＳコネクタに取り付けられてもよい。プッシュプルタブ２３１０は、本明細書でさらに述べる様々な機能を果たす側部２３１２及び中央突出部（すなわち２３１３）を有することができる。プッシュプルタブ２３１０は、タブバネ２３０８を利用してプッシュプルタブに一定方向の力を加えて、本明細書で述べる様々な利益を可能にする。図２３を簡単に参照すると、プッシュプルタブを有する組み立てられたＣＳコネクタの一実施形態が示されている。いくつかの実施形態では、図示のように、プッシュプルタブ２３１０は、前部本体２３０１内の凹部２３１７にある前部分２３１４を有する。従って、本明細書で詳細に説明するように、プッシュプルタブ２３１０がコネクタを横切ると、前部分２３１４は前部本体２３０１から独立して動く。
【００４８】
１つ又は複数の実施形態では、図２４Ａに示すように、ＣＳコネクタは、７．９５ミリメートルの全体寸法幅を有してもよい。また、さらなる実施形態では、ＣＳコネクタは３．８ｍｍのピッチを有してもよい。本明細書で述べるように、ピッチは、ＣＳコネクタ２４５０の中心軸間の軸から軸までの距離として定義される。さらに、図２４Ｂを参照すると、プッシュプルタブ２４１０が前部本体２４０１及び後部本体２４０４に取り付けられている時、一実施形態は１０．４６ｍｍの全体寸法高さを有してもよい。
【００４９】
本明細書に開示されるように、コネクタ（例えば、ＣＳコネクタ）は、アダプタへの容易な挿入及びアダプタからの容易な取り出しが可能なようにプッシュプルタブを有してもよい。図２５Ａ及び図２５Ｂを参照すると、いくつかの実施形態では、プッシュプルタブ２５１０は、破線の両側矢印２５１１によって示されるように、コネクタに対して縦方向に前後にスライドすることができる。図２５Ａは、プッシュプルタブ２５１０の側部２５１２が後部本体２５０４に接触する実施形態を示す。側部２５１２と後部本体２５０４との間の接触によって、プッシュプルタブ２５１０の前方移動が停止する。
【００５０】
さらなる実施形態では、プッシュプルタブ２５１０は、約１ｍｍから約３ｍｍの間隔２５１６だけ後部本体から離れて移動してもよい。プッシュプルタブ２５１０は、後部本体２５０４と接触する（図２３Ａの２３１４のような）中央突出部を有してもよい。中央突出部２５１４と後部本体２５０４との間のこの接触によって、プッシプルタブ２５１０の後方移動が停止してもよい。
【００５１】
図２６Ａ〜Ｃを参照すると、いくつかの実施形態に係るＣＳコネクタが示されている。本明細書で述べるように、プッシュプルタブ２５１０は前部分２６１４を有する。いくつかの実施形態では、前部分２６１４は先端部２６３０を含んでもよい。先端部２６３０は、前部分２６１４を前部本体２６０１にしっかりと固定するために、前部本体２６０１の一部分上をスライドできるスリット又は溝（図示せず）を含むことができる。スリット又は溝は、いくつかの実施形態では、本明細書で述べるようにプッシュプルタブの動きに適応するために十分に大きくてもよい。別の言い方をすると、プッシュプルタブが前部本体から離れると（図２５Ｂ及び対応する説明を参照）、プッシュプルタブは前部本体に沿ってスライドすることができる（すなわち、図２６Ｃ）ので、スリット又は溝は、非後退状態（すなわち、図２６Ｂ）でのしっかりとした取り付けも確保しながらプッシュプルタブの移動が可能なように十分大きくなければならない。
【００５２】
図２７Ａに示し、本明細書で述べるように、一実施形態はバネ２７０８（すなわち、図２３Ａ、２３０８）を含むことができる。本明細書で述べ、図４２に示すように前部本体２７０１の溝とプッシュプルタブ２７１０の溝とが整列するように、バネ２７０８はプッシュプルタブ２７０８に前方方向の付勢力を加える。図２７Ａに示すように、隠れ線はプッシュプルタブ２７１０内のばね２７０８を示す。追加の実施形態では、プッシュプルタブ２７１０は楔部分２７３１を含むことができる。楔部分２７３１は、プッシュプルタブがハウジング（すなわち、前側本体及び後側本体）に沿って移動すると、前部本体２７０１にはめ込まれ、凹部（図２３Ａの２３１７参照）をスライド／横断することができるように構成されている。
【００５３】
さて図２８Ａ／Ｂ／Ｃを参照すると、様々な実施形態の断面を含むＣＳコネクタが示されている。図２８Ａは、特定された２つの別々の断面を有するいくつかの実施形態に係るＣＳコネクタの例を示す。第１の断面（すなわち、Ｘ−Ｘ）は、図２８Ｂにさらに詳しく示されている。図２８Ｂは、どのように楔部分２８３１を前部本体２８０１にはめ込む又は接続するかを示している。楔部分２８３１のこの材料強度によって、本明細書中でさらに詳細に述べるように、プッシュプルタブ２８１０が前部本体２８０１の長さに沿って移動することも可能にしながら、前部本体２８０１へのしっかりとした接続が確実なものとなることを理解されたい。楔部分２８３１に加えて、いくつかの実施形態はまた、プッシュプルタブの一部として形成される１つ又は複数のクリップ２８３２を備えるさらなる固定接続装置も有し得る。いくつかの実施形態において、そして図示のように、１つ又は複数のクリップ２８３２は、前部本体２８０１に接続してはまり込むとともに、前部本体に挿入される後部本体２８０４に隣接して配置される。これらは非限定的な例であり、プッシュプルタブ２８１０をハウジングに固定するために様々な接続手段を用いることができることを理解されたい。具体的には、楔部分２８３１及び１つ又は複数のクリップ２８３２は、プッシュプルタブ２８１０の様々な他の位置、ならびに前部本体２８０１及び後部本体２８０４の異なる位置に配置することができる。
【００５４】
本明細書に開示されているコネクタ（例えばＣＳコネクタ）は、例えばファイバアレイ又はサーバなどのアダプタ（例えば光ファイバポート）に挿入されてもよい。典型的なアダプタの非限定的で例示的な実施例を図３０Ａに示す。図３０Ａは、２つのコネクタ（例えば、デュアルフェルールＣＳコネクタ）を受容するためのデュアルアダプタを示している。本明細書で提供される様々な寸法は、専ら例示を目的としており、様々な他の寸法が様々な実施において可能であり得ることを理解されたい。図３０Ｂ及び図３０Ｃは、図３０Ａに示すアダプタの具体的な断面切断を示す。３０Ａ、３０Ｂ、及び３０Ｃの様々な寸法を以下の表１に記載する。図３１、図３２、及び図３３に示し、本明細書で述べるように、レシーバー／トランシーバーにより、アンカー装置の挿入が可能になり得る。
【００５５】
【表１】
2020513588.tif 000002
2020513588.tif 000003
【００５６】
コネクタシステム（例えば、ＣＳコネクタシステム）の様々な部分は、様々な状況に対応するために調整されてもよいことを理解されたい。これらの変形の１つの非限定的な例が図２９に示されており、図２９は、可変長に構成されたプッシュプルタブ２９１０を示す。
【００５７】
図３０Ａ、図３０Ｂ、及び図３０Ｃに示される実施形態は、様々な変更形態を受容することができるアダプタを示している。例えば、図３１Ａ、図３１Ｂ、及び図３１Ｃを参照すると、いくつかの実施形態では、取り外し可能なアダプタの変更形態（例えば、図３１Ｂ及び図３１Ｃのフックシステム）を図３１Ａに示すアダプタに挿入することができる。図３１Ｂ及び３１Ｃに示されるもののような取り外し可能な変更を加えた装置は、フック先端部３１２１及びフック状傾斜面３１２２、又は複数のいずれかを含み得る（例えば、図示のように、変更を加えた装置は２つのフック先端部を含む）。
【００５８】
取り外し可能な変更を加えた装置（すなわち、交換可能なアンカー装置）は、スタイル及びデザインが変化し得ることを理解されたい。図３２Ａ、３２Ｂ、及び３２Ｃは、交換可能なアンカー装置の可能性のあるデザインの例示的で非限定的な例を提供する。本明細書で述べるように、いくつかの実施形態では、取り外し可能なアダプタの変更形態（例えば、図３２Ｂ及び図３２Ｃのフックシステム）を図３２Ａに示すアダプタに挿入することができる。図３２Ｂ及び３２Ｃに示されるもののような取り外し可能な変更を加えた装置は、フック先端部３２２１及びフック傾斜面３２２２、あるいは複数のいずれかを含み得る（例えば、図示のように、変更を加えた装置は２つのフック先端部を含む）。
【００５９】
さらなる実施形態では、そして図３３Ａ、図３３Ｂ、及び図３３Ｃに示すように、取り外し可能なアダプタの変更形態（例えば、図３３Ｂ、及び３３Ｃのフックシステム）を図３３Ａに示すアダプタに挿入することができる。図３３Ｂ及び図３３Ｃに示されるもののような取り外し可能な変更を加えた装置は、フック先端部３３２１及びフック傾斜面３３２２、又は複数のいずれかを含み得る（例えば、図示のように、変更を加えた装置は２つのフック先端部を含む）。
【００６０】
図３４は、図３０Ａに示すものと同様の２つのコネクタ（例えば、デュアルフェルールＣＳコネクタ）を受容するためのデュアルアダプタを示しているが、図３４は２つの取り外し可能な変更を加えた装置３４２０を含む。本明細書で提供される様々な寸法は、専ら例示を目的としており、様々な他の寸法が様々な実装形態で可能であり得ることを理解されたい。図３５Ａ及び図３５Ｂは、図３４に示すアダプタの具体的な断面切断を示す。従って、図３４、図３５Ａ及び３５Ｂの特定された寸法も、表１に記載する。
【００６１】
さて図３６Ａ及び図３６Ｂを参照すると、アダプタに挿入されているところのＣＳコネクタの例示的な実施例が示されている。本明細書に述べるように、例示的な実施形態に示されるアダプタは、アダプタに挿入されているところのＣＳコネクタを示している図３７において以下で詳細に記載するように、ＣＳコネクタの部分と係合する変更を加えた装置を備える。コネクタがアダプタハウジングに挿入されるにつれて、変更を加えた装置３７２０はＣＳコネクタに衝突して相互作用する。いくつかの実施形態では、ＣＳコネクタが挿入されるにつれて、ＣＳコネクタの前部が、ＣＳコネクタと相互作用している変更を加えた装置の部分を持ち上げるフック傾斜面（図３５Ｃの３５２２、図３２Ｂ及び３２Ｃの３２２２、及び図３３Ｂ及び３３Ｃの３３２２）に接触する。
【００６２】
さらに図３７を参照すると、変更を加えた装置の動きがズーム・イン詳細図３７３１及び３７３２に示されている。図示のように、隠れ線（例えば破線）はフック傾斜面３１２２、３２２２、及び３３２２の形状を表し、実線はフック先端部３１２１，３２２１，及び３３２１の形状を表す。フック３１２１、３２２１、及び３３２１は、コネクタの表面上方で隆起し、コネクタのアダプタへの挿入を可能にする。ひとたびコネクタがアダプタ内の所定の目的地に達すると（例えば、確実なファイバ接続が行われる時）、フック先端部３１２１、３２２１、及び３３２１は、コネクタの凹部３７０９と連結する。この連結動作で、押し込み動作中にタブによってコネクタをアダプタハウジング内に固定する。
【００６３】
さて図３８を参照すると、本明細書で述べるように、プッシュプルタブ３８１０の前部分３８１４は前部本体３８０１とは無関係に動くことに留意することが重要である。従って、詳細に示されているプッシュプルタブ３８１０の前部分３８１４は、前部本体３８０１の凹部３８１６と位置合わせされてもよい。この構成では、フック先端部３１２１、３２２１、及び３３２１は、コネクタをアダプタにしっかりと固定することができる。しかしながら、実施形態に応じて、プッシュプルタブ３８１０は前方又は後方方向に動くことができ（図３１、３２、及び３３を参照）、したがって凹部３８１６をプッシュプルタブ凹部からずらす。プッシュプルタブ３８１０の前部分３８１４が動いてずれると、傾斜面３８１５を介してフック傾斜面３１２２、３２２２、及び３３２２と相互作用する。従っていくつかの実施形態では、プッシュプルタブ３８１０を前部本体３８０１と無関係に動かすことによって、傾斜面領域３８１５がフック傾斜面３１２２、３２２２、及び３３２２に力を加えることができ、それによってフック先端部３１２１、３２２１、及び３３２１を持ち上げる。ひとたびフック先端部３１２１、３２２１、及び３３２１が持ち上げられると、コネクタはアダプタ及び／又はトランシーバーから安全に取り外すことができる。
【００６４】
図３９〜４１は、アダプタ及び／又はトランシーバーと相互作用するコネクタのさらなる詳細及び断面図を示す。さらに図４２及び４３は、実施形態のさらなる詳細及び実行できる寸法を示す（表２参照）。
【００６５】
【表２】
2020513588.tif 000004
【００６６】
ＣＳコネクタを使用することにより、柔軟性の改善と共にコンパクトなファイバの実装が可能になる。例えば、いくつかの既存のシステムでは、図４４に示すように、２００Ｇトランシーバーモジュール４４０１はＭＰＯコネクタ４４０２を受容することができる。次に、ファンアウト４４０３又はカセット４４０６などの追加のツールを用いてＭＰＯコネクタを分割することができる。ひとたびケーブルが分割されると、１００Ｇモジュール装置（例えば、図示のＬＣユニブート）４４０４に接続することができる。１００Ｇモジュール装置４４０４は、それから１００Ｇトランシーバー４４０５に挿入することができる。
【００６７】
代替として、いくつかの実施形態では、図４４Ｂに示すように、複数のＣＳコネクタ４４０６が２００Ｇトランシーバーモジュール４４０１に挿入される。次に、各ＣＳコネクタ４４０６は、図４４Ａに示すように独立して１００に接続することができ、２００Ｇトランシーバーモジュール４４０１はＭＰＯコネクタ４４０２を受容することができる。
次に、ファンアウト４４０３又はカセット４４０６などの追加のツールを用いてＭＰＯコネクタを分割することができる。ひとたびケーブルが分割されると、１００Ｇモジュール装置（例えば、図示のＬＣユニブート）４４０４に接続することができる。１００Ｇモジュール装置４４０４は、それから１００Ｇトランシーバー４４０５に挿入することができる。
【００６８】
マルチストランドケーブルを使用した具体例が専ら説明を目的として図１４に示されており、ほぼ無数の代替及び変更が可能であることを理解されたい。図示のように、スイッチ（例えば１００Ｇスイッチ）１４３０はトランシーバー（例えば１００Ｇトランシーバー）１４３１と共に示される。トランシーバー１４３１は２つのミニＣＳデュプレックスコネクタ１４３２を受容するアダプタを有する。２つのデュプレックスコネクタ１４３２の各々から、４芯ファイバケーブル１４３３が延在し様々な他のコネクタ及びトランシーバーに接続する。図示のように、１本の４芯ファイバケーブル１４３３は２本のファイバケーブル１４３４に分割され、それらは次にシングルＣＳシンプレックスコネクタ１４３５に取り付けられ、トランシーバー（例えば、２５Ｇトランシーバー）１４３６内に配置される。さらに図示のように、４本のファイバケーブル１４３７の１本はシングルミニＣＳデュプレックスコネクタ１４３８に接続され、これは次に別のトランシーバー（例えば５０Ｇトランシーバー）１４３９に挿入される。
【００６９】
上記の詳細な説明では、その一部を形成する添付の図面を参照する。図面では、文脈上別段の指示がない限り、類似の記号は通常類似の構成要素を識別する。詳細な説明、図面、及び特許請求の範囲に記載されている例示的な実施形態は、限定的であることを意図していない。本明細書に提示された主題の精神又は範囲から逸脱することなく、他の実施形態を使用することができ、他の変更を加えることができる。本明細書において一般的に説明され、かつ図に示される本開示の態様は、多種多様の異なる構成での配置、置き換え、組み合わせ、分離、及び設計が可能であり、これらは本明細書においていずれも明示的に企図されることは容易に理解されよう。
【００７０】
本開示は、様々な態様の実例として意図されている、本願に記載されている特定の実施形態に関して限定されるものではない。当業者には明らかであるように、その精神及び範囲から逸脱することなく、多くの変更及び変形を行うことができる。本明細書に列挙したものに加えて、本開示の範囲内の機能的に等価な方法及び装置は、前述の説明から当業者には明らかであろう。そのような変更及び変形は、添付の特許請求の範囲に含まれることが意図される。本開示は、そのような特許請求の範囲が権利を有する等価物の全範囲と共に、添付の特許請求の範囲の用語によってのみ限定されるべきである。本開示は特定の方法、試薬、化合物、組成物、又は生物学的システムに限定されず、もちろん変化し得ることを理解されたい。本明細書で使用される用語は特定の実施形態を説明することのみを目的としており、限定することを意図するものではないこともまた理解すべきである。
【００７１】
本明細書における実質的に任意の複数及び／又は単数形の用語の使用に関して、当業者は文脈及び／又は出願に応じて適切に複数形から単数形及び／又は単数形から複数形に翻訳することができる。明確にするために、様々な単数形／複数形の入れ替えを本明細書に明示的に記載することがある。
【００７２】
一般に、本明細書、特に添付の特許請求の範囲（例えば、添付の特許請求の範囲の本文）で使用される用語は、一般に「非制限」用語として意図されることが理解されよう（例えば、「含む（ｉｎｃｌｕｄｉｎｇ）」という用語は、「含むがこれらに限定されない」と解釈すべきであり、「有する」という用語は、「少なくとも有する」と解釈すべきであり、「含む（ｉｎｃｌｕｄｅｓ）」という用語は「含むがこれらに限定されない」と解釈すべきである等）。様々な組成物、方法、及び装置は、様々な構成要素又はステップを「含む」（「含むが、これらに限定されない」を意味すると解釈される）という用語で記載されているが、該組成物、方法、及び装置はまた該様々な構成要素又はステップ「から本質的に成り」又は「から成り」得るものであり、そのような用語は、本質的にクローズドメンバーグループを定義するものとして解釈すべきである。導入されたクレーム記載の特定の数が意図される場合、そのような意図は明示的に請求項に記載され、そのような記載がない場合は、そのような意図がないということが、当業者にはさらに理解されよう。例えば、理解の助けとして、以下の添付の請求項は、クレーム記載を導入するために「少なくとも１つ」及び「１つ又は複数」という導入語句の使用を含むことがある。しかしながら、そのような語句の使用は、同じ請求項に導入的語句「１つ又は複数」又は「少なくとも１つ」と「ａ」又は「ａｎ」等の不定冠詞が含まれるとしても、不定冠詞「ａ」又は「ａｎ」による請求項記載の導入によって、そのような請求項記載の導入を含むいかなる特定の請求項もただ一つのそのような記載を含む実施形態に限定されることを意味すると解釈すべきでない（例えば、「ａ」及び／又は「ａｎ」は、「少なくとも１つ」又は「１つ又は複数」を意味するものと解釈すべきである）。同じことは、請求項記載を導入するために用いられる定冠詞を使用する場合にも当てはまる。加えて、導入されたクレーム記載において特定の数がはっきりと記載されている場合であっても、そのような記載は、少なくともその記載された数を意味するように解釈すべきであることは、当業者には理解されるであろう（例えば、他に修飾語のない、単なる「２つの記載事項」という記載がある場合、この記載は、少なくとも２つの記載事項、又は「２つ以上の」記載事項を意味する）。さらに、「Ａ、Ｂ、及びＣなどのうちの少なくとも１つ」に類似した規約が使用される場合には、一般にそのような構造は当業者がその規約を理解するであろうという意味で解釈される（例えば、「Ａ、Ｂ、及びＣのうちの少なくとも１つを有するシステム」は、Ａのみ、Ｂのみ、Ｃのみ、ＡとＢ共に、ＡとＣ共に、ＢとＣ共に、及び／又はＡ、Ｂ、及びＣ共に有するシステム等を含むがこれらに限定されない。Ａ、Ｂ、又はＣなどの少なくとも１つ」に類似した規約が使用される場合には、一般にそのような構造は当業者が規約を理解するであろうという意味で解釈される（例えば、「Ａ、Ｂ、又はＣのうちの少なくとも１つを有するシステム」は、Ａのみ、Ｂのみ、Ｃのみ、ＡとＢ共に、ＡとＣ共に、ＢとＣ共に、及び／又はＡ，Ｂ、及びＣ共に、等）。２以上の代替語を提示する実質的にいかなる選言的な語及び／又は語句も、明細書、特許請求の範囲、又は図面内であろうと、それらの用語のうちの一方、他方、又は両方を含む可能性を熟慮していると当業者にはさらに理解されるであろう。例えば、語句「Ａ又はＢ」は、「Ａ」、「Ｂ」、又は「Ａ及びＢ」を含むと理解されるであろう。
【００７３】
さらに、本開示の特徴又は態様が、マーカッシュ群を単位として記載される場合、当業者は、本開示はまた、そのマーカッシュ群の任意の個々のメンバー又はメンバーのサブグループを単位として記載されることを認識するであろう。
【００７４】
当業者には理解されるように、書面による説明を提供することなどのありとあらゆる目的のために、本明細書に開示されているすべての範囲はまた、ありとあらゆる可能な部分範囲及びそれらの部分範囲の組み合わせも包含する。列挙された範囲はいずれも、少なくとも同等な半分、三分の一、四分の一、五分の一、十分の一、などに分解される同一の範囲を十分に説明しかつ可能にしていると容易に認識することができる。非限定的な例として、本明細書で記載される各範囲は、下三分の一、中三分の一及び上三分の一などに容易に分解することができる。当業者には同様に理解されるように、「〜まで」、「少なくとも」などのような言い回しはすべて、列挙された数字を含み、上記したように、その後部分範囲に分けることができる範囲を指す。最後に、当業者には理解されるように、範囲は個々の要素を含む。したがって、例えば、１〜３個の細胞を有する群は、１個、２個、又は３個の細胞を有する群を指す。同様に、１〜５個の細胞を有する群は、１、２、３、４個、又は５個の細胞を有する群などを指す。
【００７５】
上記開示された他の特徴及び機能、又はそれらの代替物の様々なものは、他の多くの異なるシステム又は用途に統合することができる。現時点では予見できない、又は予期せぬ様々なこれらの代替例、変更例、変形例、又は改良例は、その後、当業者によって行われることがあり、これらもそれぞれ開示の実施形態によって包含されることを意図する。
【図１Ａ】
2020513588.tif 000005
【図１Ｂ】
2020513588.tif 000006
【図１Ｃ】
2020513588.tif 000007
【図１Ｄ】
2020513588.tif 000008
【図２Ａ】
2020513588.tif 000009
【図２Ｂ】
2020513588.tif 000010
【図２Ｃ】
2020513588.tif 000011
【図２Ｄ】
2020513588.tif 000012
【図３】
2020513588.tif 000013
【図４Ａ】
2020513588.tif 000014
【図４Ｂ】
2020513588.tif 000015
【図４Ｃ】
2020513588.tif 000016
【図５】
2020513588.tif 000017
【図６Ａ】
2020513588.tif 000018
【図６Ｂ】
2020513588.tif 000019
【図７】
2020513588.tif 000020
【図８】
2020513588.tif 000021
【図９】
2020513588.tif 000022
【図１０Ａ】
2020513588.tif 000023
【図１０Ｂ】
2020513588.tif 000024
【図１０Ｃ】
2020513588.tif 000025
【図１１】
2020513588.tif 000026
【図１２Ａ】
2020513588.tif 000027
【図１２Ｂ】
2020513588.tif 000028
【図１２Ｃ】
2020513588.tif 000029
【図１３Ａ】
2020513588.tif 000030
【図１３Ｂ】
2020513588.tif 000031
【図１４】
2020513588.tif 000032
【図１５】
2020513588.tif 000033
【図１６Ａ】
2020513588.tif 000034
【図１６Ｂ】
2020513588.tif 000035
【図１７Ａ】
2020513588.tif 000036
【図１７Ｂ】
2020513588.tif 000037
【図１７Ｃ】
2020513588.tif 000038
【図１７Ｄ】
2020513588.tif 000039
【図１７Ｅ】
2020513588.tif 000040
【図１８Ａ】
2020513588.tif 000041
【図１８Ｂ】
2020513588.tif 000042
【図１８Ｃ】
2020513588.tif 000043
【図１９】
2020513588.tif 000044
【図２０Ａ】
2020513588.tif 000045
【図２０Ｂ】
2020513588.tif 000046
【図２１】
2020513588.tif 000047
【図２２Ａ】
2020513588.tif 000048
【図２２Ｂ】
2020513588.tif 000049
【図２３Ａ】
2020513588.tif 000050
【図２３Ｂ】
2020513588.tif 000051
【図２４Ａ】
2020513588.tif 000052
【図２４Ｂ】
2020513588.tif 000053
【図２５Ａ】
2020513588.tif 000054
【図２５Ｂ】
2020513588.tif 000055
【図２６Ａ−２６Ｂ】
2020513588.tif 000056
【図２６Ｃ】
2020513588.tif 000057
【図２７Ａ−２７Ｂ】
2020513588.tif 000058
【図２７Ｃ】
2020513588.tif 000059
【図２８Ａ】
2020513588.tif 000060
【図２８Ｂ】
2020513588.tif 000061
【図２８Ｃ】
2020513588.tif 000062
【図２９】
2020513588.tif 000063
【図３０Ａ】
2020513588.tif 000064
【図３０Ｂ】
2020513588.tif 000065
【図３０Ｃ】
2020513588.tif 000066
【図３１Ａ】
2020513588.tif 000067
【図３１Ｂ】
2020513588.tif 000068
【図３１Ｃ】
2020513588.tif 000069
【図３２Ａ】
2020513588.tif 000070
【図３２Ｂ】
2020513588.tif 000071
【図３２Ｃ】
2020513588.tif 000072
【図３３Ａ】
2020513588.tif 000073
【図３３Ｂ】
2020513588.tif 000074
【図３３Ｃ】
2020513588.tif 000075
【図３４】
2020513588.tif 000076
【図３５Ａ】
2020513588.tif 000077
【図３５Ｂ】
2020513588.tif 000078
【図３６Ａ】
2020513588.tif 000079
【図３６Ｂ】
2020513588.tif 000080
【図３７】
2020513588.tif 000081
【図３８】
2020513588.tif 000082
【図３９Ａ】
2020513588.tif 000083
【図３９Ｂ】
2020513588.tif 000084
【図４０】
2020513588.tif 000085
【図４１】
2020513588.tif 000086
【図４２】
2020513588.tif 000087
【図４３】
2020513588.tif 000088
【図４４Ａ】
2020513588.tif 000089
【図４４Ｂ】
2020513588.tif 000090
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
前部本体であって、上面及び底面と、前記前部本体の前記上面に長さ方向に延びる凹部とを備える前部本体と、
前記前部本体に取り外し可能に接続されハウジングを形成する後部本体であって、前記後部本体の一部は、取り外し可能に接続されると前記前部本体内に取り外し可能に収まる後部本体と、
前部分、後部分、及び１つ又は複数の側部を備えるプッシュプルタブと
を備え、
前記プッシュプルタブの前記前部分は、前記凹部に位置し、
前記前部本体は、前記前部本体の前記上面に幅方向に延びる溝を更に備え、
前記プッシュプルタブは、前記プッシュプルタブの前記前部分に幅方向に延びる相補的な溝を更に備えるコネクタ。
【請求項２】
前記プッシュプルタブが前記ハウジングに接続されると、前記前部本体の溝と前記プッシュプルタブの相補的な溝が整列する請求項１に記載のコネクタ。
【請求項３】
前記ハウジングに接続されると、前記プッシュプルタブは、前記ハウジングの長さ方向に移動可能であり、
前記プッシュプルタブが前記ハウジングの長さ方向に移動すると、前記前部本体の溝と前記プッシュプルタブの相補的な溝とが移動して整列がずれる請求項２に記載のコネクタ。
【請求項４】
前記後部分によって、ユーザが工具を用いずに前記プッシュプルタブを前記ハウジングの長さ方向に沿って動かすことが可能になる請求項３に記載のコネクタ。
【請求項５】
前記プッシュプルタブは、前記１つ又は複数の側部を用いて取り外し可能に前記ハウジングに接続される請求項１に記載のコネクタ。
【国際調査報告】
2020513588.tif 000091
2020513588.tif 000092
2020513588.tif 000093